(57)【要約】【課題】  コーナーカバーに対する換気カバーの取付け作業性を高める。【解決手段】  可撓性配管類の屈曲部分を覆う状態で壁外面に固定されるコーナーカバー５の天井壁部に換気孔６を形成するとともに、コーナーカバー５の天井壁部の外面側には、二方向に向かって略Ｌ字状に開口し、かつ、一方の開口と換気孔６とに亘る状態で天井壁部の外面との間に換気通路８を形成する換気カバー７が脱着自在に装着され、更に、前記コーナーカバー５の天井壁部には、換気孔６を備えた換気筒部５Ｅが外面側に突出形成され、この換気筒部５Ｅと換気カバー７の天井壁部との相対向する部位には、コーナーカバー５に対して換気カバー７が装着されたとき、その装着方向から摺接して、換気カバー７の内面との間でコーナーカバー５を挾持する装着ガイド部１７が形成されている。【選択図】        図４
2005156155.tif 000002
【特許請求の範囲】
【請求項１】
壁の貫通孔を通して壁外面に沿う姿勢で導出された可撓性配管類の屈曲部分を覆う状態で壁外面に固定されるコーナーカバーのうち、貫通孔に相対向する天井壁部に換気孔を形成するとともに、コーナーカバーの天井壁部の外面側には、二方向に向かって略Ｌ字状に開口し、かつ、天井壁部の外面と交差する姿勢にある一方の開口と換気孔とに亘る状態で天井壁部の外面との間に換気通路を形成する換気カバーが脱着自在に装着されているコーナー用化粧カバーであって、
前記コーナーカバーの天井壁部には、換気孔を備えた換気筒部が外面側に突出形成され、この換気筒部と換気カバーの天井壁部との相対向する部位には、コーナーカバーに対して換気カバーが装着されたとき、その装着方向から摺接して、換気カバーの内面との間でコーナーカバーを挾持する装着ガイド部が形成されているコーナー用化粧カバー。
【請求項２】
前記コーナーカバーの換気筒部の外面と換気カバーの内面とが密着状態で装着可能なテーパー面に形成されている請求項１記載のコーナー用化粧カバー。
【請求項３】
前記装着ガイド部が、換気筒部の先端面に形成されたビス止め用筒部と、これの外周面に摺接可能な状態で換気カバーのビス止め用挿通孔の外縁に沿って突出形成されたガイド突起から構成されている請求項１又は２記載のコーナー用化粧カバー。
【請求項４】
前記換気カバーが、天井壁部の換気筒部に対してそれの筒軸芯周りの複数向きの装着姿勢で選択的に付け替え自在に構成されている請求項１、２又は３記載のコーナー用化粧カバー。
【発明の詳細な説明】
【技術分野】
【０００１】
本発明は、換気機能を備えた空調用室内ユニットと空調用室外ユニットとの間に配設される冷媒管やドレンホース、換気ホース、電気配線等の配管類を室外側で覆う化粧カバー処理技術に関し、より詳しくは、壁の貫通孔を通して壁外面に沿う姿勢で導出された可撓性配管類の屈曲部分を覆う状態で壁外面に固定されるコーナーカバーのうち、貫通孔に相対向する天井壁部に換気孔を形成するとともに、コーナーカバーの天井壁部の外面側には、二方向に向かって略Ｌ字状に開口し、かつ、天井壁部の外面と交差する姿勢にある一方の開口と換気孔とに亘る状態で天井壁部の外面との間に換気通路を形成する換気カバーが脱着自在に装着されているコーナー用化粧カバーに関する。
【背景技術】
【０００２】
従来のコーナー用化粧カバーでは、コーナーカバーの天井壁部が、壁外面に沿って配設される別の配管カバーの一端部が差し込み接続される接続端部と略同じ高さで扁平状に形成され、この天井壁部には、換気孔を備えた換気筒部が外面側に一体的に突出形成されているとともに、この換気筒部の外面と換気カバーの内面とが密着状態で装着可能なテーパー面に形成され、更に、換気カバーの両側壁部の端面が、天井壁部の扁平状外面に当て付けられていた。
【０００３】
また、前記コーナーカバーの換気筒部の先端面と換気カバーの天井壁部との相対向する部位には、コーナーカバーと換気カバーとをビスで脱着自在に締結するためのビス止め用筒部とビス止め用挿通孔とが形成されているとともに、前記換気カバーの天井壁部に形成されるビス止め用挿通孔の外縁には、コーナーカバー側のビス止め用筒部に近接する外れ止め突起が一体形成されていた。
【０００４】
更に、前記換気カバーのうち、一端側開口と相対向する他端側、つまり、使用形態では上方側に位置する状態で装着される前壁部には、換気カバー内の換気通路に連通する第２換気孔が形成されている（例えば、特許文献１、２参照。）。
【０００５】
【特許文献１】特開平１０−７３２８２号公報
【特許文献２】特開２００１−１７３９８５号公報
【発明の開示】
【発明が解決しようとする課題】
【０００６】
コーナー用化粧カバーを出荷する場合、一般に、コーナーカバーと換気カバーとを、それらの幅方向中央位置を通る中心線同士が合致した正規姿勢で装着し、この状態で熱収縮性フィルムによりシュリンク包装する方法が採られているが、コーナーカバーの天井壁部の扁平状外面に対して、換気カバーの両側壁部の端面が面一状態で当て付けられているだけであるため、シュリンク包装時のフィルム収縮力で換気カバーの両側壁部、特に、自由端となる一端部側が幅拡大側に弾性変形し易く、その結果、幅拡大側に弾性変形された換気カバーの両側壁部の少なくとも一方の一端部側が、コーナーカバーの天井壁部の扁平状外面から側壁部側に落ち込み、その開拡状態のまま包装が維持されると、振動等の外力が作用したとき、換気カバーの両側壁部と天井壁部とを繋ぐ弧状角部に割れ等が発生する可能性がある。
【０００７】
また、換気カバーの前壁部には第２換気孔が形成されているため、換気カバーを、それの第２換気孔と一端側開口とが上下に位置する縦向き姿勢でコーナーカバーに装着することにより、高い換気性能を得ることができる反面、第２換気孔から入り込んだ雨水がコーナーカバーの換気孔に浸入することがある。
【０００８】
更に、コーナーカバーの天井壁部が、別の配管カバーに対する接続端部と略同じ高さで扁平状に形成されているため、壁外面からコーナーカバーの天井壁部までの距離が短くなり、その結果、壁の貫通孔から壁外面側に導出された可撓性配管類の屈曲部分を急激に折り曲げる必要があるため、作業性の低下を招来する一因になっていた。
【０００９】
本発明は、上述の実状に鑑みて為されたものであって、その主たる課題は、コーナーカバーに対する換気カバーの取付け作業性を高めることのできるコーナー用化粧カバーを提供する点にある。
【課題を解決するための手段】
【００１０】
本発明の請求項１による特徴構成は、壁の貫通孔を通して壁外面に沿う姿勢で導出された可撓性配管類の屈曲部分を覆う状態で壁外面に固定されるコーナーカバーのうち、貫通孔に相対向する天井壁部に換気孔を形成するとともに、コーナーカバーの天井壁部の外面側には、二方向に向かって略Ｌ字状に開口し、かつ、天井壁部の外面と交差する姿勢にある一方の開口と換気孔とに亘る状態で天井壁部の外面との間に換気通路を形成する換気カバーが脱着自在に装着されているコーナー用化粧カバーであって、
前記コーナーカバーの天井壁部には、換気孔を備えた換気筒部が外面側に突出形成され、この換気筒部と換気カバーの天井壁部との相対向する部位には、コーナーカバーに対して換気カバーが装着されたとき、その装着方向から摺接して、換気カバーの内面との間でコーナーカバーを挾持する装着ガイド部が形成されている点にある。
【００１１】
上記特徴構成によれば、換気筒部と換気カバーの天井壁部との相対向する部位に設けられた装着ガイド部の摺接に伴って、換気カバーの内面との間でコーナーカバーを挾持して仮止め保持することができるから、コーナーカバーに対する換気カバーのビス止め作業を容易に行うことができる。
【００１２】
本発明の請求項２によるコーナー用化粧カバーの特徴構成は、前記コーナーカバーの換気筒部の外面と換気カバーの内面とが密着状態で装着可能なテーパー面に形成されている点にある。
【００１３】
上記特徴構成によれば、コーナーカバーの換気筒部の外面と換気カバーの内面がテーパー面に形成されているため、換気カバーの装着作業を容易に行うことができる。
【００１４】
本発明の請求項３によるコーナー用化粧カバーの特徴構成は、前記装着ガイド部が、換気筒部の先端面に形成されたビス止め用筒部と、これの外周面に摺接可能な状態で換気カバーのビス止め用挿通孔の外縁に沿って突出形成されたガイド突起から構成されている点にある。
【００１５】
上記特徴構成によれば、コーナーカバーとこれに装着された換気カバーとをビス止めするために設けられているビス止め用筒部を活用して、一方の装着ガイド部に兼用構成することができるから、仮止め保持構造の簡素化と製造コストの低廉化とを図ることができる。
【００１６】
本発明の請求項４によるコーナー用化粧カバーの特徴構成は、前記換気カバーが、天井壁部の換気筒部に対してそれの筒軸芯周りの複数向きの装着姿勢で選択的に付け替え自在に構成されている点にある。
【００１７】
上記特徴構成によれば、コーナーカバーの取付け姿勢が、例えば、配管条件によって下向き、右向き、左向き、上向きの何れの姿勢になっても、換気カバーをそれの一方の開口が常に下向きに開口する状態で装着することができる。
従って、コーナーカバーの取付け姿勢に係わらず、換気カバーをそれの一方の開口が下方に位置する縦向き姿勢でコーナーカバーに挾持状態で仮止め保持することができるので、高い換気性能を確保しながらも作業性が良い。
【発明を実施するための最良の形態】
【００１８】
〔第１実施形態〕
図１〜図７は、換気機能を備えた空調用室内ユニットと空調用室外ユニットとの間に配設される冷媒管１Ａやドレンホース、換気ホース１Ｂ、電気配線等の可撓性配管類１を室外側で覆うコーナー用化粧カバーを示し、壁２の貫通孔３に装着されたスリーブ４を通して壁外面２ａに沿う姿勢で導出された可撓性配管類１の屈曲部分１ａを覆う筒状の合成樹脂製のコーナーカバー５のうち、貫通孔３に相対向する天井壁部５Ｄに多数のスリット状の換気孔６が形成されているとともに、コーナーカバー５の天井壁部５Ｄの外面には、二方向に向かって略Ｌ字状に開口する開口部７ａ，７ｂを有し、かつ、使用形態では下方側に配置される一端側の開口７ｂ、つまり、天井壁部５Ｄの外面と交差する姿勢にある一方の開口７ｂとコーナーカバー５の換気孔６とに亘る状態で天井壁部５Ｄの外面との間に換気通路８を形成する合成樹脂製の換気カバー７が脱着自在に装着され、更に、コーナーカバー５とそれに対して幅方向中央位置を通る中心線同士が合致した正規姿勢で装着された換気カバー７の一端部側との相対向する部位には、換気カバー７の両側壁部７Ａの幅方向外方への弾性変形を阻止する変形規制手段Ａが設けられている。
【００１９】
前記コーナーカバー５は、底壁部側に形成される管類導入口９を横断する位置を分割起点とし、壁外面２ａに沿って配設される別の直管状の合成樹脂製の配管カバー１０の一端部が嵌合状態で差し込み接続される接続端部５Ｃの高さ方向中間位置を分割終点とする側面視変形への字状の分割ラインに沿って、上向きに開口する扁平Ｕの字状の取付け部材５Ａと、これの上方及び前方側を覆う横断面形状が略下向き扁平Ｕの字状の蓋部材５Ｂとに分割形成されている。
【００２０】
前記取付け部材５Ａの両側壁部５Ｆには、壁外面２ａに当て付けられるフランジ部５Ｇと、取付け部材５Ａと蓋部材５Ｂとを二箇所で締付け固定するためのビスがねじ込まれるビス止め用筒部５Ｈとが一体形成されているとともに、底壁部５Ｊには、壁外面２ａに取付けるためのビス１１用の挿通孔１２が貫通形成されている。
【００２１】
前記蓋部材５Ｂの天井壁部５Ｄのうち、前端から接続端部５Ｃの近くまで亘る範囲の部分５ｄが、接続端部５Ｃよりも壁外面２ａから離れる側に隆起形成され、この隆起形成された天井壁部分５ｄのうち、貫通孔３に相対向する部位には、先端面側に多数のスリット状の換気孔６が形成されている隅丸の正四角筒状の換気筒部５Ｅが外面側に一体的に突出形成されているとともに、この換気筒部５Ｅの外面５ｅと換気カバー７の内面７ｃとが密着状態で装着可能なテーパー面に形成されている。
【００２２】
前記換気カバー７の両側壁部７Ａの内面間寸法は、換気筒部５Ｅの各側辺の長さと同一又は僅かに小に構成されているとともに、換気カバー７の両側壁部７Ａと前壁部7 Ｂとの間に位置する各弧状角部は、換気筒部５Ｅの各弧状角部と摺接状態で嵌合可能な曲率に構成されていて、図7 の（イ）に示すように、コーナーカバー５と換気カバー７とが同じ向き姿勢にあるきを正規装着姿勢としたとき、詳しくは、コーナーカバー５と換気カバー７との幅方向中央位置を通る中心線同士が合致し、かつ、換気カバー７の一端側の開口７ｂがコーナーカバー５の接続端部５Ｃ側に位置するときを正規装着姿勢としたとき、図7 の（ロ）に示すように、コーナーカバー５に対して換気カバー７を左側に９０度向き変更した第２装着姿勢と、図7 の（ハ）に示すように、コーナーカバー５に対して換気カバー７を右側に９０度向き変更した第３装着姿勢と、図7 の（ニ）に示すように、コーナーカバー５に対して換気カバー７を１８０度向き変更した第４装着姿勢とに選択的に付替え自在に構成されている。
【００２３】
それ故に、コーナーカバー５の取付け姿勢が、配管条件によって下向き、右向き、左向き、上向きの何れの姿勢になっても、換気カバー７をそれの一端側の開口７ｂが常に下向きに開口する状態で装着することができる。
【００２４】
そのため、換気カバー７の両側壁部７Ａから天井壁部７Ｅ側に回りこむ部位には、コーナーカバー５と換気カバー７とを二箇所で締付け固定するためのビス１３に対する挿通孔１４を備えた取付け凹部７Ｃが形成されているとともに、換気筒部５Ｅの先端面の四箇所には、上述の四つの装着姿勢で選択的に締付け固定するためのビス止め用筒部５Ｋが一体的に突出形成されている。
【００２５】
前記換気カバー７のうち、一端側開口７ｂと相対向する他端側の前壁部７Ｂには、換気カバー７内の換気通路８に連通する複数のスリット状の第２換気孔１５が貫通形成されているとともに、前壁部７Ｂの内面には、第２換気孔１５のコーナーカバー５側の端縁又はその近傍位置に沿って一端側開口７ｂに向かって突出する垂れ壁１６が一体形成されている。
【００２６】
そのため、換気カバー７を、それの第２換気孔１５と一端側開口７ｂとが上下に位置する縦向き姿勢でコーナーカバー５に装着することにより、高い換気性能を確保しながらも、上方の第２換気孔１５から入り込んだ雨水がコーナーカバー５の換気孔６内に浸入することを、前壁部７Ｂの内面に形成した垂れ壁１６によって抑制することができる。
【００２７】
また、コーナーカバー５の天井壁部５Ｄの隆起代が、これから外面側に一体的に突出形成される換気孔６を備えた換気筒部５Ｅの突出代と略同一又はそれよりも大に構成されていて、このコーナーカバー５の天井壁部５Ｄの隆起代と換気筒部５Ｅの突出代とにより、壁外面２ａからコーナーカバー５の換気孔６までの距離が大きくなるから、壁２の貫通孔３から壁外面２ａ側に導出された可撓性配管類１の屈曲部分１ａにおける折り曲げ許容範囲が拡大し、配管作業の容易化、能率化を促進することができる。
【００２８】
更に、換気カバー７の取付け凹部７Ｃの内面には、換気筒部５Ｅの先端面に形成されたビス止め用筒部５Ｋの外周面のうち、換気カバー７の幅方向中央側の半周面部分に対して筒軸芯方向から摺接する半円筒状のガイド突起７Ｄが、ビス止め用挿通孔１４の外縁に沿って一体的に突出形成されていて、このガイド突起７Ｄとビス止め用筒部５Ｋとをもって、前記換気筒部５Ｅの先端面と換気カバー７の天井壁部７Ｅとの相対向する部位において、コーナーカバー５に対して換気カバー７が何れかの装着姿勢で装着されたとき、その装着方向から互いに摺接して、換気筒部５Ｅのテーパー外面５ｅに接触している換気カバー7 のテーパー内面７ｃとの間でコーナーカバー５を挾持保持する仮止め用の装着ガイド部１７が構成されている。
【００２９】
前記変形規制手段Ａは、換気カバー７の両側壁部７Ａの一端部側に形成された下向き開口のＶ字状の凹部１８と、コーナーカバー５の天井壁部５Ｄの幅方向両側に突出形成された板片状の凸部１９とから構成されている。
【００３０】
そして、コーナーカバー５の両凸部１９に対して換気カバー７の両側壁部７ＡのＶ字状凹部１８を係合させた状態では、換気カバー７の天井壁部７Ｅに外力が加えられても、換気カバー７の両側壁部７Ａの一端部側が幅拡大側に弾性変形することはない。それ故に、換気カバー７の両側壁部７Ａとコーナーカバー５の天井壁部５Ｄとの相対向する部位に係合自在な凹凸部１８，１９を形成するだけの簡単な改造により、シュリンク包装時に、換気カバー７の両側壁部７Ａの一端部側が幅拡大側に弾性変形してコーナーカバー５の天井壁部５Ｄから落ち込むことに起因する割れ等の発生を防止することができる。
【００３１】
また、前記蓋部材５Ｂには、壁外面２ａに当て付けられるフランジ部５Ｌと、取付け部材５Ａと蓋部材５Ｂとを二箇所で締付け固定するためのビスに対する挿通孔２０を備えた取付け凹部５Ｍとが形成されているとともに、フランジ部５Ｌには、壁外面２ａに取付けるためのビス２２用の挿通孔２１が貫通形成されている。
【００３２】
〔第２実施形態〕
図８、図９は、コーナーカバー５とそれに対して幅方向中央位置を通る中心線同士が合致した正規姿勢で装着された換気カバー７の一端部側との相対向する部位において、換気カバー７の両側壁部７Ａの幅方向外方への弾性変形を阻止する変形規制手段Ａの別の実施形態を示し、これは、換気カバー７の両側壁部７Ａの一端部側に一体的に突出形成された板片状の凸部２３と、コーナーカバー５の天井壁部５Ｄの幅方向両側に貫通又は窪み形成された凹部２４とから構成されている。
【００３３】
そして、コーナーカバー５の両凹部２４に対して換気カバー７の両側壁部７Ａの凸部２３を係合させた状態では、換気カバー７の天井壁部７Ｅに外力が加えられても、換気カバー７の両側壁部７Ａの一端部側が幅拡大側に弾性変形することはない。
尚、その他の構成は、第１実施形態で説明した構成と同一であるから、同一の構成箇所には、第１実施形態と同一の番号を付記してそれの説明は省略する。
【００３４】
〔その他の実施形態〕
（１）上述の各実施形態では、前記コーナーカバー５を二分割したものを用いたが、取付け部材５Ａと蓋部材５Ｂとが一体形成されているものや底壁部が存在しない一体型のものを用いて実施してもよい。
【００３５】
（２）前記変形規制手段Ａとしては、コーナーカバー５とそれに対して幅方向中央位置を通る中心線同士が合致した正規姿勢で装着された換気カバー７の一端部側との相対向する部位において、換気カバー７の両側壁部７Ａの幅方向外方への弾性変形を阻止することのできるものであれば、如何なる構造のものを採用してもよい。
【図面の簡単な説明】
【００３６】
【図１】本願発明のコーナー用化粧カバーの第１実施形態を示す取付け時の断面側面図
【図２】コーナーカバーの蓋部材と換気カバーとを分離したときの斜視図
【図３】コーナーカバーと換気カバーの分解時の断面側面図
【図４】組付け時の断面正面図
【図５】組付け時の背面図
【図６】分解時の背面図
【図７】( イ) 〜( ニ) は、コーナーカバーに対する換気カバーの装着姿勢を９０度ずつ変更したときの平面図
【図８】本願発明のコーナー用化粧カバーの第２実施形態を示す要部の分解斜視図
【図９】要部の一部切欠背面図
【符号の説明】
【００３７】
Ａ      変形規制手段
１      可撓性配管類
１ａ    屈曲部分
２      壁
２ａ    壁外面
３      貫通孔
５      コーナーカバー
５Ｃ    接続端部
５Ｄ    天井壁部
５Ｅ    換気筒部
５ｅ    テーパー外面
５Ｋ    ビス止め用筒部
６      換気孔
７      換気カバー
７Ａ    側壁部
７Ｂ    前壁部
７Ｄ    ガイド突起
７ａ    開口部
７ｂ    開口部
７ｃ    テーパー内面
８      換気通路
１５    第２換気孔
１６    垂れ壁
１７    装着ガイド部
１８    凹部
１９    凸部
２３    凸部
２４    凹部
【図１】
2005156155.tif 000003
【図２】
2005156155.tif 000004
【図３】
2005156155.tif 000005
【図４】
2005156155.tif 000006
【図５】
2005156155.tif 000007
【図６】
2005156155.tif 000008
【図７】
2005156155.tif 000009
【図８】
2005156155.tif 000010
【図９】
2005156155.tif 000011